(57)【要約】【課題】設置、撤去作業が容易に行え、低コストであって、確実に安全確保を行うようにした。【解決手段】建物１の平坦屋根部２周囲のパラペットと称される屋根枠部２ａに所定間隔で着脱自在に立設される複数本の支柱３と、隣り合う支柱３間に掛け渡されるように着脱自在に設けられる横枠４とを具備し、支柱３は、支柱本体１０の下端に固定され、かつ屋根枠部２ａの下面に係合される固定クランパ１６と、支柱本体１０に沿って昇降自在に設けられた可動クランパ１８と、可動クランパ１８の上部にあって、支柱本体１０に沿って昇降自在に設けられたガイドアーム２０と、ガイドアーム２０の先端部にねじ込まれ、その先端を前記可動クランパ１８に相対回転可能に結合した調整ねじ具２４とを備えている。調整ねじ具２４の螺回操作により可動クランパ１８を下方に押動させて固定クランパ１６と可動クランパ１８により屋根枠部２ａの上下面を挟持させて支柱３を屋根枠部２ａに固定させるようにした。【選択図】      図１
2011111864.tif 000002
【特許請求の範囲】
【請求項１】
建物の平坦屋根部周囲の屋根枠部に所定間隔で着脱自在に立設される複数本の支柱と、隣り合う支柱間に掛け渡されるように着脱自在に設けられる横枠とを具備し、前記支柱は、支柱本体の下端に固定され、かつ屋根枠部の下面に係合される固定クランパと、支柱本体に沿って昇降自在に設けられた可動クランパと、可動クランパの上部にあって、支柱本体に沿って昇降自在に設けられたガイドアームと、ガイドアームの先端部にねじ込まれ、その先端を前記可動クランパに相対回転可能に結合した調整ねじ具とを備え、調整ねじ具の螺回操作により可動クランパを下方に押動させて固定クランパと可動クランパにより屋根枠部の上下面を挟持させて支柱を屋根枠部に固定させるようにしたことを特徴とする屋根上作業用安全柵。
【請求項２】
前記支柱は、支柱本体の下端が略Ｌ形乃至略Ｊ形に折曲形成されるとともに、その折曲先端上に前記固定クランパが固定され、固定クランパの上面には立ち上げ部が形成され、前記可動クランパの下面には立ち下げ部が形成され、立ち上げ部と立ち下げ部が前記屋根枠部の上下面の段部に係合されるようにしたことを特徴とする請求項１に記載の屋根上作業用安全柵。
【請求項３】
前記ガイドアームの基部には、前記支柱本体が摺動自在に挿入されるガイド孔が形成され、ガイドアームの先端部には、前記調整ねじ具が螺挿されるねじ孔が形成され、前記支柱本体の外周には長手方向に沿って溝若しくは突条よりなるガイド部が形成されていることを特徴とする請求項１又は２に記載の屋根上作業用安全柵。
【請求項４】
前記支柱本体は、支柱基部と、支柱基部の上部に外挿される筒状の支柱上部とからなり、支柱上部の下部には支柱基部と支柱上部を固定する固定具が設けられていることを特徴とする請求項１乃至３のいずれかに記載の屋根上作業用安全柵。
【請求項５】
前記支柱間には安全ネットが張設され、安全ネットの下縁と前記屋根枠部とが、屋根枠部に設けられた係合片部に係合されるクリップ具を介して結合されることを特徴とする請求項１乃至４のいずれかに記載の屋根上作業用安全柵。
【請求項６】
前記支柱本体と前記横枠を着脱自在に結合させるクランプ具を具備し、該クランプ具が、前記支柱本体に固定される垂直クランプ部と垂直クランプ部に固定されて前記横枠が挿入されて締め付け固定される水平クランプ部とにより形成されていることを特徴とする請求項１乃至５のいずれかに記載の屋根上作業用安全柵。
【請求項７】
請求項１乃至６のいずれかに記載の支柱に代えて、支柱の下端に水平枠材が固定されるとともに支柱と水平枠材の先端部とを斜桁によって結合した補強支柱を用い該補強支柱の水平枠材に設けた固定部材を前記建物の平坦屋根部を構成する屋根材に着脱自在に固定させるようにしたことを特徴とする屋根上作業用安全柵。
【請求項８】
請求項１乃至６のいずれかに記載の屋根上作業用安全柵に用いる支柱において、前記支柱は、支柱本体の下端に固定され、かつ屋根枠部の下面に係合される固定クランパと、支柱本体に沿って昇降自在に設けられた可動クランパと、可動クランパの上部にあって、支柱本体に沿って昇降自在に設けられたガイドアームと、ガイドアームの先端部にねじ込まれ、その先端を前記可動クランパに相対回転可能に結合した調整ねじ具とを備え、調整ねじ具の螺回操作により可動クランパを固定クランパの方向に押動させるようにしたことを特徴とする支柱。
【発明の詳細な説明】
【技術分野】
【０００１】
本発明は、屋根上などの高所作業、特に、陸屋根やビルの屋上など平坦屋根部における屋根上作業用安全柵及び該安全柵の設置に用いる支柱に関する。
【背景技術】
【０００２】
平坦屋根部の屋根面上で、ソーラーパネルなどの設置工事や、塗装、補修、メンテナンスなどの作業を行う場合に、屋根上での高所作業の安全性を図るために、一般的には、建物の周囲に足場を組んでいる。ところが、建物全体に足場を組むにはコストがかかるうえ、狭隘な敷地では、足場を設置するスペースがない場合もある。
【発明の概要】
【発明が解決しようとする課題】
【０００３】
ところで、本出願人は、屋根が陸屋根などのフラットな面を持つ建物では、屋根面の周囲を安全柵で囲えば、十分な安全性が確保されるとともに、屋根に対する昇降は、一箇所に設けた梯子だけでよいことに着目した。
【０００４】
本発明は、以上の着眼点に基づきなされたものであって、その目的とするところは、設置、撤去作業が容易に行え、低コストであって、建物周囲に設置スペースをとらず、設置状態では、確実に安全確保を行えるようにした屋根上作業用安全柵及び該安全柵の設置に用いる支柱を提供するものである。
【課題を解決するための手段】
【０００５】
上記目的を達成するため本発明の屋根上作業用安全柵は、図１乃至図５の第１実施形態にも示すように、ビルなどの建物１の平坦屋根部２周囲のパラペットと称される屋根枠部２ａに所定間隔で着脱自在に立設される複数本の支柱３と、隣り合う支柱３間に掛け渡されるように着脱自在に設けられる横枠４とを具備し、前記支柱３は、支柱本体１０の下端に固定され、かつ屋根枠部２ａの下面に係合される固定クランパ１６と、支柱本体１０に沿って昇降自在に設けられた可動クランパ１８と、可動クランパ１８の上部にあって、支柱本体１０に沿って昇降自在に設けられたガイドアーム２０と、ガイドアーム２０の先端部にねじ込まれ、その先端を前記可動クランパ１８に相対回転可能に結合した調整ねじ具２４とを備えている。調整ねじ具２４の螺回操作により可動クランパ１８を下方に押動させて固定クランパ１６と可動クランパ１８により屋根枠部２ａの上下面を挟持させて支柱３を屋根枠部２ａに固定させるようにしたことを特徴とする。
【０００６】
上記の屋根上作業用安全柵を設置するためには、クランプ具３４を設けた複数本の支柱３と横枠４とを分離した状態で、それぞれ屋根部２の平坦上面に揚げる。次いで、屋根部２周囲の屋根枠部２ａ（パラペット）に、支柱３を所定間隔で取り付け固定する。支柱３の取り付けは、固定クランパ１６を屋根枠部２ａの下面に挿入した後、可動クランパ１８を下方に押動させて屋根枠部２ａの上面に押し付け、調整ねじ具２４の螺回操作により可動クランパ１８を押し圧させて、固定クランパ１６と可動クランパ１８により屋根枠部２ａの上下面を挟持させて支柱３を屋根枠部２ａに固定させる。その後、クランプ具３４を利用して、横枠４を隣接する支柱３間に掛け渡して、屋根部２の周囲を囲繞させるようにすれば良い。屋根上作業用安全柵６は、屋根枠部２ａの全外周を囲繞するように構成するが、特定の隣り合う一箇所又は複数箇所の支柱３間には、横枠３を設けず、その間から作業者が上り下りできる昇降口６Ａを形成する。
これにより、屋根上作業者のみならず工事用器機などの落下事故を防止させることができる。
【０００７】
上記の構成において、支柱本体１０は、一本の棒状又はパイプ状のものであっても良い。また、支柱本体１０は、後述するような、継ぎ足し、伸縮構造であっても良い。横枠４は、通常の棒状又はパイプ状のものであれば良い。
【０００８】
本願請求項２では、前記支柱３は、支柱本体１０の下端が略Ｌ形乃至略Ｊ形に折曲形成されるとともに、その折曲先端上に水平に前記固定クランパ１６が固定され、固定クランパ１６の上面には立ち上げ部１６ａが形成され、前記可動クランパ１８の下面には立ち下げ部１８ａ，１８ｂが形成され、立ち上げ部と立ち下げ部が前記屋根枠部の上下面の段部に係合されるようにしたことを特徴とする。
【０００９】
これにより、支柱３は、屋根部２周囲の屋根枠部２ａ（パラペット）に係合状態で立設され、取り付けが強固であるばかりではなく、作業中支柱３が落下したり傾いたりすることがない。
【００１０】
可動クランパ１８の下面の立ち下げ部１８ａ，１８ｂを、屋根枠部２ａ（パラペット）の上面の前後壁部に嵌合させるように前後平行に二重に形成させることにより、支柱３の取り付け安全性が一層向上する。
【００１１】
本願請求項３では、前記ガイドアーム２０の基部には、前記支柱本体１０が摺動自在に挿入されるガイド孔２０ａが形成され、ガイドアーム２０の先端部には、前記調整ねじ具２４が螺挿されるねじ孔２０ｂが形成され、前記支柱本体１０の外周には長手方向に沿って溝若しくは突条よりなるガイド部１１ａが形成されていることを特徴とする。
【００１２】
上記の構成により、固定クランパ１６と可動クランパ１８により屋根枠部２ａの上下面を挟持させ、調整ねじ具２４の螺回操作により可動クランパ１８を下方に押動させる。この時、ガイドアーム２０のガイド孔２０ａが上下方向に傾斜して、支柱本体１０の外周のガイド部１１ａに傾斜方向に係合し、可動クランパ１８が支柱本体１０に沿ってずれ上がるということがない。
ガイド部１１ａに形成された溝若しくは突条は、支柱本体１０を補強するものであるが、ガイドアーム２０のガイド孔２０ａの上下動の案内となり、且つ、上記傾斜方向の係合を確実なものとする。
【００１３】
本願請求項４では、前記支柱本体１０は、支柱基部１１と、支柱基部１１の上部に外挿される筒状の支柱上部１２とからなり、支柱上部１２の下部には支柱基部１１と支柱上部１２を固定する固定具２８が設けられていることを特徴とする。
【００１４】
上記の構成により、支柱を上下に分割して収納又は持ち上げることができる。また、支柱基部１１と支柱上部１２とを伸縮構造として、その長さを長短調整させることとができる。
【００１５】
本願請求項５では、前記支柱３、３間には安全ネット５が張設され、安全ネット５の下縁と前記屋根枠部２ａとが、屋根枠部２ａに形成される係合片部２ｂに係合されるクリップ具４０を介して結合されることを特徴とする。
【００１６】
安全ネット５の張設により、支柱３、３間からの人や物品の落下が確実に防止される。また、屋根枠部２ａに係合片部２ｂを形成させることにより、安全ネット５の下縁を図示のクリップ具４０を用いて容易に屋根枠部２ａに係止させることができる。
【００１７】
本願請求項６では、支柱３と横枠４を着脱自在に結合させるクランプ具３４を有し、クランプ具３４が、前記支柱本体１０に固定される垂直クランプ部３４ａと垂直クランプ部３４ａに固定されて前記横枠４が挿入されて締め付け固定される水平クランプ部３４ｂとにより形成されていることを特徴とする。
【００１８】
上記のクランプ具３４を用いることにより、支柱本体１０に横枠４を容易且つ強固に取り付けることができる。クランプ具３４を支柱本体１０の上部と中間部の上下複数位置に固定させることにより、横枠４を支柱の上下に平行に設けることができ、安全性が一層向上する。
【００１９】
本願請求項７では、請求項１乃至６のいずれかに記載の支柱に代えて、図６の第２実施態様に示される補強支柱６６を用いる。補強支柱６６は、補強支柱６６本体の下端に水平枠材６４が固定されるとともに補強支柱６６と水平枠材６４の先端部とを斜桁６８によって結合した構造であり、該補強支柱６６の水平枠材６４に設けた固定部材６２を前記建物の平坦屋根部を構成する折れ屋根の凸部に着脱自在に固定させるようにしたことを特徴とする。
【００２０】
上記の補強支柱６６は、平坦屋根部がジグザグ形状の折版屋根の場合に有効である。
【００２１】
本願請求項８では、請求項１乃至６のいずれかに記載の屋根上作業用安全柵に用いる前記支柱３を特徴としている。
【００２２】
上記の支柱３は、安全柵６を構成する他の部品とは別に製造販売でき、安全柵６が周囲に設けられる屋根部２の面積に応じて、支柱３を追加供給できる。
【発明の効果】
【００２３】
本発明に係る屋根上作業用安全柵では、陸屋根やビルの屋上などの平坦屋根部の全周の上面を囲む構造であって、この種の屋根上作業の安全性を確実に確保させることができる。また、作業者のみならず平坦屋根部全周からの工事用物品や付属品の落下も確実に阻止することができる。
【００２４】
また、安全柵を構成する支柱及び横枠などの部品を分解した状態で運び揚げ、屋根部の周囲に複数の支柱を間隔を置いて取り付けた後、クランプ具を介して各支柱間を横枠で連結することにより、平坦屋根部の周囲に容易に安全柵を形成でき、その設置撤去の作業を容易に行うことができる。さらに、建物の周囲に足場を設ける従来のビル用の屋根上作業用装置に比較し、低コストであり、建物の周囲に設置スペースを取ることがない。
【００２５】
また、請求項１乃至６のいずれかに記載の支柱、及び、請求項８に記載の支柱を用いることにより、支柱下部の固定クランパと可動クランパを屋根枠部（パラペット）上下面に挟持固定させて、支柱をガタツキなく強固に固定でき、その取り付け安全性が確保できる。
【００２６】
請求項２に示されるように、固定クランパ及び可動クランパの対向面に設けた立ち上げ部と立ち下げ部を屋根枠部の上下面の段部に係合させることにより、支柱の固定時におけるガタツキや傾きがなく、一層支柱の取り付けの安全性が確保できる。
【００２７】
請求項４の発明では、支柱が分割構造とされており、軒端に対する取付時に支柱を分割しておくことにより、取り回しが容易となる。また、伸縮構造とすることができ、安全柵の高さを調節させることができる。
【００２８】
請求項５の発明における安全ネットは軽量であり、取付取外しも簡単で、落下防止の安全性を向上させることができる。また、安全ネットは、軒端にクリップ具を引掛け係止するだけで取り付けられるため、取付上の難点であった軒端側の手掛りを簡単に得ることができる。
【００２９】
請求項６の発明では、支柱と横枠との取付取外しを容易に行うことができる。また、横枠を上下複数段に形成させて、安全性を向上させることができる。
【００３０】
請求項７の発明では補強支柱の取付時に軒端側に身を乗出すことがないため、作業時の安全性を増すことができる。
【図面の簡単な説明】
【００３１】
【図１】本発明を平坦屋根構造建物に適用した建物および安全柵の全体構造を示す説明図である。
【図２】（ａ），（ｂ）は支柱を示す側面図および正面図である。
【図３】（ａ），（ｂ）は図２の円ＡおよびＢで囲う部分の拡大図である。
【図４】同支柱を示す分解斜視図である。
【図５】同支柱の建物縁部への取付構造を示す断面図である。
【図６】（ａ），（ｂ）は本発明の第２実施形態を示す側面図である。
【発明を実施するための形態】
【００３２】
以下、本発明を適用した第１実施形態を図１〜５を参照して説明する。
まず図１において、平坦屋根部２を有する建物１における屋根部２の周囲に設けられた低壁状の屋根枠部２ａ（軒側張出し部、一般にパラペットと称される）にはクランプ式の複数の支柱３が所定間隔で立設される。この支柱３間の最上部には横枠４が横架されているとともに、屋根枠部２ａ、支柱３および横枠４で囲われる内側にはそれぞれ安全ネット５が張設され、屋根部２の周囲をこれら支柱３、横枠４、安全ネット５で構成された安全柵６によって屋根部２の周囲を包囲している。安全柵６を構成する特定の２本の支柱３の間には、横枠４及び安全ネット５の存在しない、作業員や物品の昇降用の昇降口６Ａが形成されている。
【００３３】
また、建物１の地表部と屋根部２の昇降口６Ａの間には梯子７が架設されている。梯子７は屋根部２に設置されるソーラーパネル８などの資材搬送用と、作業員の昇降用を兼用したものである。
【００３４】
なお、同図１は、安全柵６の仮設後に、屋根部２にソーラーパネル８を一面に敷詰めた状態を示し、これらソーラーパネル８は、梯子７に設けた運搬治具７ａを介して屋根部２に運搬されて作業員に受渡され、その後作業員の手によって縦横に敷詰められる。また、設置工事完了後は、安全柵６は撤去され、他の施工現場などに転用される。
【００３５】
図２〜図５において、支柱３の支柱本体１０は、屋根枠部２ａに挟持状態に固定される棒状の支柱基部１１と、支柱基部１１の上部に着脱固定自在に嵌合される筒形の支柱上部１２との二分割構造とされている。なお、支柱３の全高は屋根２上に立つ作業員の胸元程度の高さに設定される。
【００３６】
前記支柱基部１１は、側面視で下端略Ｊ字形若しくは略Ｌ形をなす縦長棒状の部材であり、支柱基部１１の下端における略Ｊ字形若しくは略Ｌ形の先端部の突出上面に全周溶接によって一体化された固定クランパ１６と、支柱基部１１の外周に昇降可能に挿通された可動クランパ１８と、可動クランパ１８の上部にあって、支柱基部１１の外周に昇降可能に挿通されたガイドアーム２０と、ガイドアーム２０先端のねじ孔２０ｂにねじ込まれ、かつその下端が可動クランパ１８の上面中央に全周溶接によって一体化されたねじ受け２２に相対回転可能に連結された調整ねじ具２４とを備えている。調整ねじ具２４の上端には回転操作用のグリップ２６を備えている。ガイドアーム２０の基部には、支柱基部１１が昇降可能に挿通されるガイド孔２０ａが形成されている。
グリップ２６に代えて、工具に係合して回転操作されるナット形の頭部を設けるようにしても良い。
【００３７】
固定クランパ１６は、屋根枠部２ａの下縁に固定されるものであり、所定厚みの板状をなしているとともに、先端上部には断面略Ｌ字形の立ち上げ部１６ａが立上げ形成されている。立ち上げ部１６ａは、屋根枠部２ａ（パラペット）の下面に形成される段部に係合する。
【００３８】
可動クランパ１８は、屋根枠部２ａの上縁に固定されるものであり、同じく所定厚みの板状をなし、先端下部には断面略Ｌ字形の立ち下げ部１８ａ，１８ｂが前後平行に立ち下げ形成されている。立ち下げ部１８ａ，１８ｂは、屋根枠部２ａ（パラペット）の上面の前後面に係合される。
【００３９】
支柱基部１１は、図４に示すように、平面視でほぼ長方形をしているとともに、その長手方向両側に、長手方向に沿って連続する凹溝若しくは凸条よりなるガイド部１１ａを形成することによって、前記可動クランパ１８およびガイドアーム２０の上下移動を円滑にガイドするようになっている。
【００４０】
前記支柱上部１２は、円筒パイプ状をなし、その下端には、ガイド部１１ａの断面形状に沿って凹溝若しくは凸条を設けた長方形状に縮小成形された嵌合部１２ａを備え、この嵌合部１２ａおよび支柱基部１１の上部に列設された複数の挿通孔１１ｂの一つを貫通して蝶ボルトよりなる固定具２８をねじ込み、裏面側のナット３０に連結することによって、支柱基部１１と、支柱上部１２とを連結している。支柱基部１１と支柱上部１２とは伸縮可能に連結されている。
【００４１】
支柱上部１２の上端はゴム、樹脂などからなる弾性体からなる小口キャップ３２により、蓋されているとともに、その直下には、２つのクランプ具３４の、垂直クランプ部３４ａが上下に一体的に接合されている。垂直クランプ部３４ａの外壁には水平クランプ部３４ｂが結合され、水平クランプ部３４ｂには横枠４を構成するパイプ材の端部が挟持固定されている。垂直クランプ部３４ａ，垂直クランプ部３４ｂのいずれも径方向に伸縮可能な自在継手状をなし、それぞれの管径に合わせてボルトナット、あるいは蝶ボルトとナットとの組合せにより締付けることによって強固に接合される。
支柱３と横枠４との結合は、ワイヤーや支柱３に固定した筒状部材により行わせることができ、この場合には、上記のクランプ具はなくともよい。
【００４２】
安全ネット５は、所定メッシュの升目編み形状であって、その４周には図３（ｂ），図５に示すように、所定ピッチで複数の取付紐５ａが設けられている。この取付紐５ａを支柱３および横枠４に結び合わせる。また屋根枠部２ａに対する取付は、図５の一部に拡大して示すように、屋根枠部２ａを覆う金属板よりなるカバー端部の鉤形係合片部２ｂにナス環状のクリップ具４０を係止するとともに、このクリップ具４０のナス環状クリップ本体４０ａの上部に設けたＤ環４０ｂを取付紐５ａに結びつければ、安全ネット５は、支柱３、横枠４および屋根枠部２ａで構成される空間内に張設されるものとなる。
【００４３】
なお、図５は、屋根部２の屋根枠部２ａの桁側端部に支柱３を連結した状態を示すものであり、屋根部２には棟側から軒側に向けてやや下り勾配とした折り板からなる屋根材５０が設けられているとともに、屋根材５０の軒側端部はひさしカバー５２で覆われ、その下部にはドレン排水用の金具５４が屋根枠部２ａを上下に貫通して設けられる。軒下には排水金具５４に連通する縦樋５４が設けられている。
【００４４】
以上の構成において、可動クランパ１８とガイドアーム２０が最接近している状態、すなわち調整ねじ具２４の大部分が上部側に露出している状態で、固定クランパ１６を屋根枠部２ａの下縁に差込み、次いで可動クランパ１８をガイドアーム２０ごと屋根枠部２ａの上縁まで下降させる。その後、図４の矢印に示すごとくグリップ２６を持って調整ねじ具２４を回転させれば、そのねじピッチに応じて可動クランパ１８は下降し、固定グリッパ１との間に屋根枠部２ａを挟持した状態で強固に固定される。
【００４５】
その後は横枠４を支柱３間に固定し、安全ネット５を張設する作業を行うことにより、図１に示すごとく、安全柵６が完成するものとなる。この取付作業時における注意点としては、固定クランパ１６の取付時に過度に軒端に身を乗出さないこと、および調整ねじ具２４による取付しろを可及的に大きくするため、予め調整ねじ具２４を上部側に最大限露出させておくこと、ならびに取り廻し時の重量軽減のために、予め支柱３を、支柱本体１０と支柱上部１２とは分離しておき、支柱基部１１の取付完了後に、支柱上部１２を接合することができる。
【００４６】
図６（ａ），（ｂ）は、本発明の第２実施形態を示している。
第２実施形態では、上記第１実施形態に用いる支柱３の代えて、補強支柱６６を用いる。
補強支柱６６の本体の下端には、水平枠材６４が略Ｌ形に設けられ、水平枠材６４の下部に設けた複数の固定部材６２を介して折板形状の屋根材６０の凸状に固定される。補強支柱６６の中段部と水平枠材６４の端部には斜桁６８が連結され、補強支柱６６を垂直状態に保持している。
本実施形態では、補強支柱６６の固定のための部品点数は増すが、取付時に軒先に身を乗出すことがなく、取付作業時の安全性をさらに大きく確保できる。なお、補強支柱６６の取付後は横枠の取付、安全ネットの張設を行うことは言うまでもない。また、水平枠材６２は必ずしも必要でなく、斜桁８の基端部を直接屋根材状に固定することも可能である。
【００４７】
さらに各実施形態では、横枠を一段とし、安全ネットを張設したが、横枠のみ２段、あるいは３段取付けても同じであり、資材運搬時や取付作業時の負荷などを勘案して適宜選択できる。
【符号の説明】
【００４８】
１  建物
２  屋根部
２ａ  屋根枠部
２ｂ  係合片部
３  支柱
４  横枠
５  安全ネット
５ａ  取付紐
６  安全柵、６Ａ  昇降口
７  梯子
７ａ  運搬治具
８  ソーラーパネル
１０  支柱本体
１１  支柱基部、１１ａ    ガイド部、１１ｂ  挿通孔
１２  支柱上部、１２ａ  嵌合部
１６  固定クランパ
１６ａ  立ち上げ部
１８  可動クランパ
１８ａ，１８ｂ  立ち下げ部
２０  ガイドアーム、２０ａ  ガイド孔、２０ｂ  ねじ孔
２２  ねじ受け
２４  調整ねじ具
２６  グリップ
２８  固定具
３０  ナット
３２  小口キャップ
３４  クランプ具
３４ａ  垂直クランプ部
３４ｂ  水平クランプ部
４０  クリップ具、４０ａ  クリップ本体、４０ｂ  Ｄ環
５０  屋根材
５２  ひさしカバー
５４  排水用金具
５６  縦樋
６０  屋根材
６２  固定部材
６４  水平枠材
６６  補強支柱
６８  斜桁
【図１】
2011111864.tif 000003
【図２】
2011111864.tif 000004
【図３】
2011111864.tif 000005
【図４】
2011111864.tif 000006
【図５】
2011111864.tif 000007
【図６】
2011111864.tif 000008